(57)【要約】【課題】簡単な構成で、様々な使い方ができる汎用性の高い化粧用ブラシを提供すること。【解決手段】ブラシ用毛材２０を束ねて形成された毛束部２と、毛束部２の一端が固定された柄部３とを備えた化粧用ブラシ１であって、毛束部２は、その表面に多数の短繊維を備えた植毛部２３を持つ。植毛部２３は、多数の短繊維が毛束部表面に接着剤を介して起立状態で固定されていることが好ましい。また、毛束部２は、多数の短繊維を備えた植毛部２３と、短繊維を備えていない非植毛部２４とを有することが好ましい。【選択図】図１
2018099312.tif 000002
【特許請求の範囲】
【請求項１】
ブラシ用毛材を束ねて形成された毛束部と、該毛束部の一端部が固定された柄部とを備えた化粧用ブラシであって、
前記毛束部は、その表面に多数の短繊維を備えた植毛部を有する化粧用ブラシ。
【請求項２】
前記植毛部において、多数の前記短繊維が前記毛束部表面に接着剤を介して起立状態で固定されている、請求項１記載の化粧用ブラシ。
【請求項３】
前記毛束部は、多数の前記短繊維を備えた前記植毛部と、前記短繊維を備えていない非植毛部とを有する、請求項１又は２に記載の化粧用ブラシ。
【請求項４】
前記植毛部及び前記非植毛部は、使用者の肌に、個別又は同時に接触させることができる部分に設けられている、請求項３に記載の化粧用ブラシ。
【請求項５】
前記植毛部は、その表面近傍において前記ブラシ用毛材同士が部分的に接着している、請求項１〜４の何れか１項に記載の化粧用ブラシ。
【請求項６】
前記化粧用ブラシが扁平状に形成された平ブラシであり、
前記植毛部は、扁平状の前記毛束部の一方側の面の全面に設けられている、請求項１〜５の何れか１項に記載の化粧用ブラシ。
【請求項７】
ブラシ用毛材を束ねて形成された毛束部と、該毛束部の一端部が固定された柄部とを備えた化粧用ブラシの製造方法であって、
前記毛束部の表面の一部に、多数の短繊維を起立した状態で固定することによって得られる化粧用ブラシの製造方法。
【発明の詳細な説明】
【技術分野】
【０００１】
本発明は、化粧用ブラシ及びその製造方法に関する。
【背景技術】
【０００２】
従来、ファンデーション等のメイクアップ化粧料を顔に塗布する際に用いられるスポンジ製のパフ等において、スポンジ体の表面に、多数の短繊維を起立した状態に固定させた、いわゆる静電植毛が施された化粧用塗布具が知られている（例えば、特許文献１及び特許文献２参照）。このような化粧用塗布具は、静電植毛を施すことにより、化粧料を付着させる部分の表面積を大きくすることができると共に、静電気力や吸着力で付着した化粧料を保持可能になり、一度の付着で、一般的なパフよりも広い範囲に化粧料を塗布可能になる。
【０００３】
一方、チークや、ファンデーション等を塗布したり、化粧仕上げを行うために化粧用ブラシが用いられており、叩くように化粧料を塗布することで、仕上がりをきれいにすることが可能となる（例えば、特許文献３及び特許文献４参照）。
【先行技術文献】
【特許文献】
【０００４】
【特許文献１】特開２００４−２７５５１１号公報
【特許文献２】特開２００３−３３９４３２号公報
【特許文献３】特開平１０−１６５２２４号公報
【特許文献４】特開２０１１−８７６７５号公報
【発明の概要】
【発明が解決しようとする課題】
【０００５】
ところで、上述した化粧料塗布具は、化粧料の種類やその塗布量、塗布する部位、塗布する順序等に応じて、それぞれ塗布方法（のせる、広げる、叩く等）が異なるため使い分けされるが、これらを例えば１つの化粧用ブラシで行うことができれば非常に便利であり、このような汎用性のある化粧用ブラシが求められていた。
【０００６】
したがって本発明の課題は、簡単な構成で、様々な使い方ができる汎用性の高い化粧用ブラシ及びその製造方法を提供することにある。
【課題を解決するための手段】
【０００７】
本発明は、ブラシ用毛材を束ねて形成された毛束部と、該毛束部の一端部が固定された柄部とを備えた化粧用ブラシであって、前記毛束部は、その表面に多数の短繊維を備えた植毛部を有する化粧用ブラシを提供するものである。
【０００８】
また本発明は、ブラシ用毛材を束ねて形成された毛束部と、該毛束部の一端部が固定された柄部とを備えた化粧用ブラシの製造方法であって、前記毛束部の表面の一部に、多数の短繊維を起立した状態で固定することによって得られる化粧用ブラシの製造方法を提供するものである。
【発明の効果】
【０００９】
本発明によれば、簡単な構成で、様々な使い方ができる汎用性の高い化粧用ブラシ及びその製造方法を提供することができる。また本発明の化粧用ブラシは、多数の短繊維を備えた植毛部に多くの化粧料を保持させることが可能であり、且つ当該植毛部は、スポンジ体の表面に多数の短繊維を備えた化粧用パフと比して肌に触れた際の感触が柔らかいものとなる。
【図面の簡単な説明】
【００１０】
【図１】図１は、本発明の第１実施形態に係る化粧用ブラシの斜視図である。
【図２】図２は、本発明の第１実施形態に係る化粧用ブラシの平面図である。
【図３】図３は、本発明の第１実施形態に係る化粧用ブラシの側面図である。
【図４】図４は、本発明の第１実施形態に係る化粧用ブラシの上面図である。
【図５】図５は、本発明の第２実施形態に係る化粧用ブラシの斜視図である。
【図６】図６は、本発明の第２実施形態に係る化粧用ブラシの側面図である。
【図７】図７は、本発明の第２実施形態に係る化粧用ブラシの上面図である。
【図８】図８は、本発明の他の実施形態に係る化粧用ブラシの平面図である。
【図９】図９は、本発明の他の実施形態に係る化粧用ブラシの平面図又は上面図である。
【図１０】図１０は、本発明の他の実施形態に係る化粧用ブラシの側面図である。
【図１１】図１１は、本発明の他の実施形態に係る化粧用ブラシの側面図又は上面図である。
【図１２】図１２（ａ）〜（ｃ）は、本発明の他の実施形態に係る化粧用ブラシの側面図である。
【図１３】図１３（ａ）及び（ｂ）は、本発明の他の実施形態に係る化粧用ブラシの平面図である。
【図１４】図１４は、本発明の他の実施形態に係る化粧用ブラシの上面図である。
【発明を実施するための形態】
【００１１】
以下本発明を、その好ましい実施形態に基づき図面を参照しながら説明する。
図１には、本発明の第１実施形態に係る化粧用ブラシの斜視図が示されており、図２には、本発明の第１実施形態に係る化粧用ブラシの平面図が示されている。図３には、本発明の第１実施形態に係る化粧用ブラシの側面図が示されており、図４には、本発明の第１実施形態に係る化粧用ブラシの上面図が示されている。
【００１２】
図１〜図４に示すように、本発明の第１実施形態に係る化粧用ブラシは、扁平状に形成された平ブラシ１であり、該平ブラシ１は、ブラシ用毛材２０を束ねて形成された毛束部２と、該毛束部２の一端部２１が固定された柄部３とを備えている。
【００１３】
毛束部２は、複数のブラシ用毛材２０を扁平状に束ねて形成したものであり、上述したように、一端部２１が柄部３に固定されている。毛束部２の前記一端部２１とは反対側の先端部２２は、図２に示すように、平面視において、上方に向かって凸に湾曲した曲線を描き、且つ幅方向Ｗの一方側から他方側に向かって下り傾斜するように形成されている。また毛束部２の先端部２２は、図３に示すように、側面視において、上方に向かって凸に湾曲した弧状に形成されている。具体的に、毛束部２は、側面視における両側部分から中央部分に向かうに連れて徐々に毛足が長くなるように形成されている。
このように、毛束部２は、外周部２５の毛足が中央部分の毛足よりも短く、該外周部から、中央部分に向けて徐々に毛足が長くなるように形成されている。即ち、毛束部２の先端部２２は、上方に向かって凸に湾曲した曲線を描き、且つ幅方向Ｗの一方側から他方側に向かって下り傾斜する曲面状となるように形成されている。毛束部２の先端部２２を曲面状に形成することで、例えば、使用者が自分の頬に毛束部２を当てる際に、自分の頬と毛束部２の先端部２２との接触面積を容易に調整可能になる。
【００１４】
また毛束部２は、図１〜図４に示すように、その表面に多数の短繊維を備えた植毛部２３と、該短繊維を備えていない非植毛部２４とを備えている。植毛部２３には所謂静電植毛（フロッキー加工）が施されており、多数の短繊維が毛束部２の表面に接着剤を介して起立状態で固定されている。毛束部２が、その表面に多数の短繊維を備えた植毛部２３を有することで、例えば接着剤等でブラシ用毛材２０を接着して植毛部２３の剛性を持たせつつ、スポンジ体の表面に多数の短繊維を備えた化粧用パフ等と比して肌に触れた際の感触を柔らかいものとすることができる。また、例えば多数の短繊維に化粧料を保持させることが可能になり、毛束部２により多くの化粧料を保持させることが可能になる。特に、毛束部２の表面に多数の短繊維が起立した状態で固定されることで、上記効果をより一層高めることができる。
【００１５】
第１実施形態では、静電植毛は、使用者の肌に個別又は同時に接触させることができる部分として、図２に示すように、扁平な毛束部２の一方側の面２６に施されている。具体的に、第１実施形態では、毛束部２の該一方側の面２６の全面が植毛部２３となり、毛束部２の他方側の面２７の全面及び先端部２２が非植毛部２４となっている。植毛部２３及び非植毛部２４を使用者の肌に個別又は同時に接触できる部分に設けることで、１つの化粧用ブラシによる複数の使い方が可能になる。例えば、剛性の比較的高い植毛部でファンデーションを塗った後に、剛性の比較的低い非植毛部でファンデーションが塗られた部分をなじませたりすることができる。
【００１６】
更に、植毛部２３においては、毛束部２の表面近傍においてブラシ用毛材２０同士が接着剤により部分的に接着している。なお、部分的に接着されるとは、ブラシ用毛材２０同士が一部分又は複数部分で接着されていることをいい、間欠的な接着を含む。
【００１７】
また、短繊維は、毛束部２の一方側の面２６の表面及び表面近傍において、万遍なくブラシ用毛材２０に起立状態で固定されることが好ましい。毛束部２に設けられる静電植毛については、後述する化粧用ブラシ１の製造方法において説明する。
【００１８】
毛束部２に用いられるブラシ用毛材２０としては、樹脂毛等の人工毛や獣毛等の天然毛を使用することができる。樹脂毛としては、例えば、ポリエチレン、ポリプロピレン等のポリオレフィン、ナイロン等のポリアミド、ポリエチレンテレフタレート、ポリブチレンテレフタレート等のポリエステル等の合成樹脂製の合成繊維、レーヨン等の再生繊維等を使用することができ、ポリエステル等の合成樹脂製の合成繊維が好ましい。
獣毛としては、例えば、山羊、馬、リス、オロンピー、イタチ、コリンスキー等を使用することができる。
【００１９】
植毛する短繊維としては、ナイロン、ポリエステル等の合成繊維、レーヨン等の再生繊維、綿等の天然繊維等を使用することができ、感触が良く、且つ強度、加工性、接着性の観点から、ナイロン等の合成繊維が好ましい。
また、植毛する短繊維の長さは、化粧料を保持する観点から、０．１ｍｍ以上が好ましく、より好ましくは０．３ｍｍ以上であり、また短繊維の起立状態を維持する観点から、２．０ｍｍ以下が好ましく、より好ましくは１．０ｍｍ以下であり、より具体的には、０．１ｍｍ以上２．０ｍｍ以下が好ましく、より好ましくは０．３ｍｍ以上１．０ｍｍ以下である。
また、植毛する短繊維の太さ（直径）は、強度を保つ観点から、０．００１ｍｍ以上が好ましく、より好ましくは０．００５ｍｍ以上であり、また、感触を良くする観点から、０．０５ｍｍ以下が好ましく、より好ましくは０．０１ｍｍ以下であり、より具体的には、０．００１ｍｍ以上０．０５ｍｍ以下が好ましく、より好ましくは０．００５ｍｍ以上０．０１ｍｍ以下である。
【００２０】
柄部３は、使用者が指で持つことができる板状に形成されており、扁平状に形成された毛束部２の一端部２１を収容可能な開口部３０を有している。第１実施形態では柄部３は合成樹脂により形成されており、その形状を板状に形成したが、柄部３の形状は板状に限定されない。
【００２１】
以上説明したように、本発明の第１実施形態に係る平ブラシ１によれば、静電植毛が施された植毛部２３を有するため、様々な使い方ができる汎用性の高い化粧用ブラシとすることができる。例えば平ブラシ１は、毛束部２が、その表面に多数の短繊維を備えた植毛部２３を有することで、例えば接着剤等でブラシ用毛材２０を接着して植毛部２３の剛性を高くした場合においても、植毛部２３が肌に触れた際の感触を良好にすることができる。また、例えば多数の短繊維に化粧料を保持させることが可能になり、毛束部２により多くの化粧料を保持させることが可能になる。特に、毛束部２の表面に多数の短繊維が起立した状態で固定されることで、上記効果をより一層高めることができる。更に、多数の短繊維を接着剤を介して起立した状態で植毛部２３に固定することで、剛性を持たせつつ、スポンジ体の表面に多数の短繊維を備えた化粧用パフと比して肌に触れた際の感触を柔らかいものとすることができる。
【００２２】
また、平ブラシ１は、植毛部２３と非植毛部２４とを有し、植毛部２３が非植毛部２４よりも剛性が高いため、植毛部２３と非植毛部２４とを、化粧料の種類又は化粧の仕方（のせる、広げる、叩く等）等によって使い分けて使用することが可能になる。そのため、植毛部２３及び非植毛部２４を用いた様々な使い方の化粧が可能になり、化粧ブラシとしての汎用性が向上する。
【００２３】
更に、植毛部２３及び非植毛部２４は、使用者の肌に個別又は同時に接触できる部分に設けられている。植毛部２３及び非植毛部２４を使用者の肌に個別又は同時に接触できる部分に設けることで、より簡単に、１つの化粧用ブラシによる使い分けが可能になる。例えば、植毛部２３で化粧料を肌上にのせて、広げた後に、非植毛部２４で化粧料を叩き、仕上げることが可能となる。
【００２４】
以上の構成を有する第１実施形態に係る平ブラシ１は、静電植毛が施されていないこと以外は上述した平ブラシ１と同様の構成を有する平ブラシ（以下、単に「静電植毛前平ブラシ」ともいう）を製造した後、該静電植毛前平ブラシの一方側の面の全面に、静電植毛を施すことにより得られる。この工程について説明する。なお、以下においては、静電植毛前平ブラシは、静電植毛が施されていないこと以外は平ブラシ１と同様の構成を有することから、静電植毛前平ブラシの各部については、平ブラシ１と同じ符号を付して説明する。
【００２５】
静電植毛前平ブラシが形成されると、まず、静電植毛を施す毛束部２の一方側の面２６に接着剤を塗布する。接着剤の塗布は、好ましくはスプレーガンを用いて行われる。スプレーガンにより接着剤が塗布されることで、一方側の面２６の表面に位置するブラシ用毛材２０に接着剤が付着すると共に、表面における隙間から、表面近傍に位置するブラシ用毛材２０に部分的に接着剤が付着する。これにより、表面近傍に位置するブラシ用毛材２０同士が部分的に接着される。
【００２６】
一方側の面２６に接着剤を塗布した後、あるいは塗布と同時に、静電植毛前平ブラシの毛束部２を帯電させる。そして、接着剤が塗布された一方側の面２６に、多数の短繊維を静電気力で付着させる。このとき多数の短繊維は、静電気力により一方側の面２６の各ブラシ用毛材２０に起立した状態で引き付けられ、各ブラシ用毛材２０の表面に、接着材を介して起立した状態で固定される。
【００２７】
このように、第１実施形態に係る平ブラシ１は、静電植毛が施されていないこと以外は上述した平ブラシ１と同様の構成を有する静電植毛前平ブラシ、即ち一般的な平ブラシに後から静電植毛を施すだけで形成される。そのため、第１実施形態に係る平ブラシ１は、簡単に製造することができる。また、接着剤を塗布して多数の短繊維を固定することから、例えば一般的な平ブラシの任意の位置に静電植毛を容易に施すことができる。
【００２８】
次に、本発明の第２実施形態に係る化粧用ブラシについて、図５〜図７に基づいて説明する。図５には、本発明の第２実施形態に係る化粧用ブラシの斜視図が示されており、図６には、本発明の第２実施形態に係る化粧用ブラシの側面図が示されている。図７には、本発明の第２実施形態に係る化粧用ブラシの上面図が示されている。なお、第２実施形態に係る化粧用ブラシのブラシ用毛材２０及び短繊維に用いられる材料、並びに製造方法については、第１実施形態と同様であるため、ここではその説明を省略する。
【００２９】
図５〜図７に示すように、本発明の第２実施形態に係る化粧用ブラシは、逆円錐台形状あるいは略円柱状に形成された、いわゆるカブキブラシ１Ａであり、該カブキブラシ１Ａは、ブラシ用毛材２０Ａを略円柱状に束ねて形成された毛束部２Ａと、該毛束部２Ａの一端部２１Ａが固定された柄部３Ａとを備えている。
【００３０】
毛束部２Ａは、複数のブラシ用毛材２０Ａを略円柱状に束ねて形成したものであり、上述したように、一端部２１Ａが柄部３Ａに固定されている。
毛束部２Ａの先端部２２Ａは、図６に示すように、側面視において、上方に向かって凸に湾曲した曲線を描く弧状に形成されている。具体的に、毛束部２Ａは、側面視における両側部分から中央部分に向かうに連れて徐々に毛足が長くなるように形成されている。このように、毛束部２Ａは、外周部２５Ａの毛足が中央部分の毛足よりも短く、該外周部２５Ａから、中央部分に向けて徐々に毛足が長くなるように形成されている。即ち、毛束部２の先端部２２Ａは、凸曲面状に形成されている。
【００３１】
また毛束部２Ａは、図５〜図７に示すように、その表面に多数の短繊維を備えた植毛部２３Ａと、短繊維を備えていない非植毛部２４Ａとを備えている。植毛部２３Ａには所謂静電植毛（フロッキー加工）が施されており、多数の短繊維が毛束部２Ａの表面に接着剤を介して起立状態で固定されている。毛束部２Ａが、その表面に多数の短繊維を備えた植毛部２３Ａを有することで、例えば接着剤等でブラシ用毛材２０を接着して植毛部２３の剛性を持たせつつ、スポンジ体の表面に多数の短繊維を備えた化粧料パフ等と比して肌に触れた際の感触を柔らかいものとすることができる。また、例えば多数の短繊維に化粧料を保持させることが可能になり、毛束部２により多くの化粧料を保持させることが可能になる。特に、毛束部２Ａの表面に多数の短繊維が起立した状態で固定されることで、上記効果をより一層高めることができる。
【００３２】
第２実施形態では、静電植毛は、使用者の肌に個別又は同時に接触させることができる部分として、図５〜図７に示すように、外周部２５Ａの周方向の一部２６Ａに施されている。具体的に、第２実施形態では、毛束部２Ａの外周部２５Ａの周方向の一部２６Ａが植毛部２３Ａとなり、外周部２５Ａにおけるそれ以外の他部２７Ａ及び先端部２２Ａが非植毛部２４Ａとなっている。このように第２実施形態では、植毛部２３Ａ及び非植毛部２４Ａは、使用者の肌に個別又は同時に接触できる部分に設けられている。植毛部２３Ａ及び非植毛部２４Ａを使用者の肌に個別又は同時に接触できる部分に設けることで、１つの化粧用ブラシによる複数の使い方が可能になる。例えば、剛性の比較的高い植毛部２３Ａ（外周部２５Ａの周方向の一部２６Ａ）でファンデーションを塗りながら、剛性の比較的低い非植毛部２４Ａ（先端部２２Ａ）でファンデーションが塗られた部分をなじませたりすることができる。
【００３３】
更に、植毛部２３Ａにおいては、毛束部２Ａの表面近傍においてブラシ用毛材２０Ａ同士が接着剤により部分的に接着している。なお、部分的に接着されるとは、ブラシ用毛材２０同士が一部分又は複数部分で接着されていることをいい、間欠的な接着を含む。
【００３４】
また、短繊維は、毛束部２Ａの外周部２５Ａの周方向の一部２６Ａの表面及び表面近傍において、万遍なくブラシ用毛材２０Ａに起立状態で固定されることが好ましい。
【００３５】
柄部３Ａは、使用者が指で持つことができる略円柱状に形成されており、略円柱状に形成された毛束部２Ａの一端部２１Ａを収容可能な開口部３０Ａを有している。第２実施形態では柄部３Ａは合成樹脂により形成されており、その形状を略円柱状に形成したが、柄部３Ａの形状は略円柱状に限定されない。
【００３６】
以上説明したように、本発明の第２実施形態に係るカブキブラシ１Ａによれば、静電植毛が施された植毛部２３Ａを有するため、様々な使い方ができる汎用性の高い化粧用ブラシ１Ａとすることができる。例えばカブキブラシ１Ａは、毛束部２Ａが、その表面に多数の短繊維を備えた植毛部２３Ａを有することで、例えば接着剤等でブラシ用毛材２０Ａを接着して植毛部２３Ａの剛性を高くした場合においても、植毛部２３Ａが肌に触れた際の感触を良好にすることができる。また、例えば多数の短繊維に化粧料を保持させることが可能になり、毛束部２Ａにより多くの化粧料を保持させることが可能になる。特に、毛束部２Ａの表面に多数の短繊維が起立した状態で固定されることで、上記効果をより一層高めることができる。
【００３７】
また、カブキブラシ１Ａは、植毛部２３Ａと非植毛部２４Ａとを有し、植毛部２３Ａが非植毛部２４Ａよりも剛性が高いため、植毛部２３Ａと非植毛部２４Ａとを、化粧料の種類又は化粧の仕方（のせる、広げる、叩く等）等によって使い分けて使用することが可能になる。そのため、植毛部２３Ａ及び非植毛部２４Ａを用いた様々な使い方の化粧が可能になり、化粧ブラシとしての汎用性が向上する。
【００３８】
更に、植毛部２３Ａ及び非植毛部２４Ａは、使用者の肌に個別又は同時に接触できる部分に設けられている。植毛部２３Ａ及び非植毛部２４Ａを使用者の肌に個別又は同時に接触できる部分に設けることで、より簡単に、１つの化粧用ブラシによる使い分けが可能になる。例えば、植毛部２３Ａで化粧料を肌上にのせて、広げつつ、非植毛部２４Ａで化粧料を叩き、仕上げることが可能となる。
【００３９】
以上、本発明をその好ましい第１及び第２実施形態に基づき説明したが、本発明は上述した第１及び第２実施形態に限定されない。
【００４０】
例えば、上述の第１実施形態では、扁平な毛束部２の一方側の面２６の全面に植毛部２３を設けたが、該植毛部２３は、扁平な毛束部２の一方側の面２６の全面ではなく、扁平な毛束部２の一方側の面２６の一部に設けても良い。例えば図８（ａ）に示すように、幅方向の一方側のみに設けてもよく、図８（ｂ）に示すように、幅方向の両側のみに設けてもよく、又は図８（ｃ）に示すように、幅方向の略中央部のみに設けてもよい。また、例えば図８（ｄ）に示すように、外周部２５における高さ方向の上部側のみに設けてもよく、図８（ｅ）に示すように、外周部２５における高さ方向の下部側のみに設けてもよい。このように、扁平な毛束部２の一方側の面２６の一部に植毛部２３を設けた場合においても、植毛部２３と非植毛部２４とを、使用者の肌に個別又は同時に接触させて使い分けることが可能になり、上述した第１実施形態の効果と同様の効果を奏することができる。なおこれは、扁平な毛束部２の他方側の面２７に設けた場合も同様であり、一方側の面２６の一部と他方側の面２７の一部とに組み合わせて設けてもよい。
【００４１】
また例えば、図８（ｆ）に示すように、外周部２５における高さ方向の下部側の両側にのみ植毛部２３を設けてもよい。下部側の両側に植毛部２３を設けた場合には、ブラシ用毛材２０が幅方向に広がることを防止することができる。
【００４２】
また例えば、図９（ａ）に示すように、植毛部２３で、文字や図柄等を形成してもよい。例えば、化粧品のブランド名やロゴ、ブランドイメージ等を模した形状等で植毛部２３を形成してもよい。この場合に植毛部２３は、毛束部２の外周部２５に設けてもよく、先端部２２に設けてもよい。
【００４３】
更に、上述の第１実施形態では、植毛部２３を平面視における一方側の面２６に設けたが、例えば図９（ｂ）に示すように、先端部２２に設けてもよい。また、先端部２２の全面ではなく、先端部２２の一部に設けてもよい。例えば図９（ｃ）に示すように、先端部２２の中央部分に設けてもよく、図９（ｄ）に示すように、先端部２２における中央部分を除いた部分に設けてもよく、又は図９（ｅ）に示すように、先端部２２における幅方向の一方側の一部（図９（ｅ）においては左側）等に設けてもよい。このように、先端部２２又は先端部２２の一部に植毛部２３を設けた場合においても、植毛部２３と非植毛部２４とを、使用者の肌に個別又は同時に接触させて使い分けることが可能になり、上述した第１実施形態の効果と同様の効果を奏することができる。
【００４４】
また例えば、上述の第２実施形態では、側面視における外周部２５Ａの周方向の一部２６Ａに植毛部２３Ａを設けたが、植毛部２３Ａは、外周部２５Ａの周方向における少なくとも一部に設けていればよく、外周部２５Ａの複数個所に設けてもよい。例えば図１０（ａ）に示すように、側面視における外周部２５Ａの中央部分のみに設けてもよく、図１０（ｂ）に示すように、側面視における外周部２５Ａの両側の２箇所に設けてもよい。また、図１０（ｃ）に示すように、側面視における外周部２５Ａの上部側のみに設けてもよく、図１０（ｄ）に示すように、側面視における外周部２５Ａの下部側のみに設けてもよい。図１０（ｃ）に示すように、側面視における外周部２５Ａの上部側のみ及び図１０（ｄ）に示すように、側面視における外周部２５Ａの下部側に設ける場合は、外周部２５Ａの全周に亘って設けてもよく、外周部２５Ａの一部に設けてもよい。このように、外周部２５Ａの少なくとも一部に植毛部２３Ａを設けた場合においても、植毛部２３Ａと非植毛部２４Ａとを、使用者の肌に個別又は同時に接触させて使い分けることが可能になり、上述した第２実施形態の効果と同様の効果を奏することができる。
【００４５】
また例えば、図１０（ｅ）に示すように、植毛部２３Ａで、文字や図柄等を形成してもよい。例えば、化粧品のブランド名やロゴ、ブランドイメージ等を模した形状等で植毛部２３Ａを形成してもよい。この場合に植毛部２３Ａは、毛束部２Ａの外周部２５Ａに設けてもよく、先端部２２Ａに設けてもよい。
【００４６】
また、上述の第２実施形態では、植毛部２３Ａを外周部２５Ａに設けたが、植毛部２３Ａは、例えば図１１（ａ）に示すように、先端部２２Ａに設けてもよい。また、先端部２２Ａの全面ではなく、先端部２２Ａの一部に設けてもよい。例えば図１１（ｂ）に示すように、先端部２２Ａの中央部分に設けてもよく、図１１（ｃ）に示すように、先端部２２における中央部分を除いた部分に設けてもよく、又は図１１（ｄ）に示すように、先端部２２における周方向の一部等に設けてもよい。このように、先端部２２Ａ又は先端部２２Ａの一部に植毛部２３Ａを設けた場合においても、植毛部２３Ａと非植毛部２４Ａとを、使用者の肌に個別又は同時に接触させて使い分けることが可能になり、上述した第２実施形態の効果と同様の効果を奏することができる。
【００４７】
また、図１２（ｂ）に示すように、奥に向かうにつれて内径や断面積が減少する凹部１０１を備えた治具１００の該凹部１０１に、本発明の化粧用ブラシの静電植毛前のブラシ、例えば第２実施形態のカブキブラシ１Ａの静電植毛前カブキブラシの毛束部２Ａ（図１２（ａ）参照）を、該毛束部２Ａの先端側から挿入して、該毛束部２Ａの外形形状を該凹部１０１の内面形状に沿った形状に変形させ、その状態を維持しながら、該毛束部２Ａの根元部分に、接着剤を塗布して多数の短繊維を起立した状態で固定（所謂静電植毛）した後、該毛束部２Ａを凹部１０１から引き出すことにより、毛束部２Ａの根元部分に植毛部２３Ａを備えたカブキブラシ１Ａを製造することもできる。毛束部２Ａの根元部分には、該毛束部２Ａの外周部２５の全周にわたる環状の植毛部２３Ａを形成することが好ましい。
この化粧用ブラシの製造方法は、先すぼまり形状の毛束部２Ａを備えた化粧用ブラシや、毛束部２Ａの根元部分に毛羽立ちが生じにくい化粧用ブラシ、毛束部２Ａの根元部から先端部に向かって密度が所望の態様で変化する化粧用ブラシ等の製造に適している。
【００４８】
また、毛束部として、予め静電植毛を施した複数の静電毛束部２Ｂと、静電植毛を施していない複数の非静電毛束部２Ｃとを混在させてもよい。例えば、図１３（ａ）に示すように、相対的に毛足の長い複数の非静電毛束部２Ｃと、相対的に毛足の短い複数の静電毛束部２Ｂとを混在させてもよく、図１３（ｂ）に示すように、外形は第１実施形態の平ブラシと同様にして、複数の非静電毛束部２Ｃと、複数の静電毛束部２Ｂとを混在させてもよい。また、例えば、図１４に示すように、第２実施形態のカブキブラシの毛束部２Ａの中に、予め静電植毛を施した静電毛束部２Ｂを配してもよい。
また、前記の各実施形態は、本発明の趣旨を逸脱しない範囲で適宜に組み合わせることが可能である。
【符号の説明】
【００４９】
１  平ブラシ（化粧用ブラシ）
１Ａ  カブキブラシ（化粧用ブラシ）
２，２Ａ  毛束部
２０，２０Ａ  ブラシ用毛材
２１，２１Ａ  一端部
２２，２２Ａ  先端部
２３  植毛部
２４  非植毛部
２５  外周部
２６  一方側の面
３，３Ａ  柄部
【図１】
2018099312.tif 000003
【図２】
2018099312.tif 000004
【図３】
2018099312.tif 000005
【図４】
2018099312.tif 000006
【図５】
2018099312.tif 000007
【図６】
2018099312.tif 000008
【図７】
2018099312.tif 000009
【図８】
2018099312.tif 000010
【図９】
2018099312.tif 000011
【図１０】
2018099312.tif 000012
【図１１】
2018099312.tif 000013
【図１２】
2018099312.tif 000014
【図１３】
2018099312.tif 000015
【図１４】
2018099312.tif 000016